(57)【要約】【課題】居住空間に雨漏り等が生じることを防止するとともに、壁体の浮き上がりを防止することが可能となる発泡樹脂建築物及び発泡樹脂建築物の構築方法を提供する。【解決手段】発泡樹脂素材を主材とする発泡樹脂建築物１に関する。発泡樹脂建築物１の周縁部に設けられる壁体２と、上部に設けられる屋根３とを備える。壁体２は、複数の分割板４を上下方向Ｙに接合させることで略鉛直に形成される。屋根３は、壁体２の上端部２ａに屋根３の下面３ａが上方から当接される。分割板４は、発泡樹脂素材が主材として用いられ、上端部４１及び下端部４２で上下方向Ｙに延びて傾斜する第１切欠部５及び第２切欠部６が形成される。【選択図】図１
2014224394.tif 000002
【特許請求の範囲】
【請求項１】
発泡樹脂素材を主材とする発泡樹脂建築物であって、
周縁部に設けられる壁体と、上部に設けられる屋根とを備え、
前記壁体は、複数の分割板を上下方向に接合させることで略鉛直に形成され、
前記屋根は、前記壁体の上端部に前記屋根の下面が上方から当接されて、
前記分割板は、発泡樹脂素材が主材として用いられ、上端部及び下端部で上下方向に延びて傾斜する切欠部が形成されること
を特徴とする発泡樹脂建築物。
【請求項２】
前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されること
を特徴とする請求項１記載の発泡樹脂建築物。
【請求項３】
前記第１切欠部及び前記第２切欠部は、先端面と基端面との間で上下方向に延びて傾斜する褶動面が形成されること
を特徴とする請求項２記載の発泡樹脂建築物。
【請求項４】
複数の前記分割板は、上下方向に接合される一方の前記分割板の前記第１切欠部と、他方の前記分割板の前記第２切欠部とが、前記分割板に対して傾斜した貫通ボルトで連結されること
を特徴とする請求項２又は３記載の発泡樹脂建築物。
【請求項５】
発泡樹脂素材を主材とする発泡樹脂建築物の構築方法であって、
上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を、前記第１切欠部及び前記第２切欠部に形成された先端面と基端面との間で、上下方向に延びて傾斜する褶動面で褶動させながら上下方向に接合させて、発泡樹脂建築物の周縁部で略鉛直に壁体を設ける壁体設置工程と、
前記壁体設置工程で設けられた前記壁体の上端部に上方から載せ置くことによって、発泡樹脂建築物の上部に屋根を設ける屋根設置工程とを備えること
を特徴とする発泡樹脂建築物の構築方法。
【発明の詳細な説明】
【技術分野】
【０００１】
本発明は、建築物の壁体等に主材として発泡樹脂素材が用いられた発泡樹脂建築物及び発泡樹脂建築物の構築方法に関する。
【背景技術】
【０００２】
従来より、発泡スチロールを構成材とする建築物として、例えば、特許文献１に開示される発泡スチロールドームが提案されている。
【０００３】
特許文献１に開示された発泡スチロールドームは、発泡スチロールを構成材とする複数のドーム片を、建築物の外周方向に連なるように集合させて組み立てるものであり、複数のドーム片によって形成される建築物の内部に、居住空間が形成されるものである。
【先行技術文献】
【特許文献】
【０００４】
【特許文献１】特開２００７−９６９２号公報
【発明の概要】
【発明が解決しようとする課題】
【０００５】
しかし、複数のドーム片の構成材となる発泡スチロールは、合成樹脂素材を微細な泡で発泡させて硬化させるものであり、発泡スチロールの成形製品の製作過程において、厳密に大きさを均一にして発泡させることが難しく、発泡スチロールの成形製品が大きくなるにしたがって、発泡スチロールの成形製品の製作精度を一定に維持することが困難なものとなる。
【０００６】
特許文献１に開示された発泡スチロールドームは、ドーム片が建築物の上下方向で一体的に成形されるものであり、各々のドーム片が大きくなるものであることから、複数のドーム片の大きさを均一にして製作することが困難なものとなる。このとき、特許文献１に開示された発泡スチロールドームは、複数のドーム片を隙間なく組み立てることが困難なものとなり、複数のドーム片の隙間から雨漏り等が生じるおそれがあるという問題点があった。
【０００７】
また、特許文献１に開示された発泡スチロールドームは、各々のドーム片が大きくなるものであることから、ドーム片が製作される工場から発泡スチロールドームの建築現場まで、各々のドーム片を運搬するために必要となる輸送コストが増大するおそれがあるとともに、発泡スチロールドームの建築に必要となる施工コストが増大するおそれがあるいう問題点があった。
【０００８】
さらに、特許文献１に開示された発泡スチロールドームは、複数のドーム片の構成材となる発泡スチロールが軽量であることから、発泡スチロールドームに対する横風等によって、各々のドーム片に対して、浮き上がるような外力が作用することになる。このとき、特許文献１に開示された発泡スチロールドームは、複数のドーム片が集合する発泡スチロールドームの上端部で、各々のドーム片が相互に接触して変形するものとなり、隣り合う複数のドーム片の間に隙間を生じさせるおそれがあるという問題点があった。
【０００９】
そこで、本発明は、上述した問題点に鑑みて案出されたものであり、その目的とするところは、居住空間に雨漏り等が生じることを防止するとともに、壁体の浮き上がりを防止することが可能となる発泡樹脂建築物及び発泡樹脂建築物の構築方法を提供することにある。
【課題を解決するための手段】
【００１０】
第１発明に係る発泡樹脂建築物は、発泡樹脂素材を主材とする発泡樹脂建築物であって、周縁部に設けられる壁体と、上部に設けられる屋根とを備え、前記壁体は、複数の分割板を上下方向に接合させることで略鉛直に形成され、前記屋根は、前記壁体の上端部に前記屋根の下面が上方から当接されて、前記分割板は、発泡樹脂素材が主材として用いられ、上端部及び下端部で上下方向に延びて傾斜する切欠部が形成されることを特徴とする。
【００１１】
第２発明に係る発泡樹脂建築物は、第１発明において、前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されることを特徴とする。
【００１２】
第３発明に係る発泡樹脂建築物は、第２発明において、前記第１切欠部及び前記第２切欠部は、先端面と基端面との間で上下方向に延びて傾斜する褶動面が形成されることを特徴とする。
【００１３】
第４発明に係る発泡樹脂建築物は、第２発明又は第３発明において、複数の前記分割板は、上下方向に接合される一方の前記分割板の前記第１切欠部と、他方の前記分割板の前記第２切欠部とが、前記分割板に対して傾斜した貫通ボルトで連結されることを特徴とする。
【００１４】
第５発明に係る発泡樹脂建築物の構築方法は、発泡樹脂素材を主材とする発泡樹脂建築物の構築方法であって、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を、前記第１切欠部及び前記第２切欠部に形成された先端面と基端面との間で、上下方向に延びて傾斜する褶動面で褶動させながら上下方向に接合させて、発泡樹脂建築物の周縁部で略鉛直に壁体を設ける壁体設置工程と、前記壁体設置工程で設けられた前記壁体の上端部に上方から載せ置くことによって、発泡樹脂建築物の上部に屋根を設ける屋根設置工程とを備えることを特徴とする。
【発明の効果】
【００１５】
第１発明〜第５発明によれば、軽量な発泡樹脂素材を主材とするものであり、発泡樹脂建築物の横方向から風圧が作用することで、壁体が浮き上がるように移動しようとした場合に、発泡樹脂建築物の上下方向において、壁体の上端部を屋根の下面で抑え付けることができるものとなり、壁体の浮き上がりを防止することが可能となる。
【００１６】
第１発明〜第５発明によれば、上下方向に細分化された複数の分割板が用いられるため、発泡樹脂建築物の横方向から風圧が作用して、壁体が浮き上がるように移動しようとした場合に、第１切欠部及び第２切欠部が変形することによって、壁体の浮き上がるような移動を吸収できるものとなり、壁体の浮き上がりを防止することが可能となる。
【００１７】
第１発明〜第５発明によれば、断熱性能の高い発泡樹脂素材を主材とするものであるため、発泡樹脂建築物の居住空間における保温性を向上させることが可能となる。また、第１発明〜第５発明によれば、軽量な発泡樹脂素材を主材とするものであるため、壁体及び屋根を構成する複数の分割板を容易な運搬、施工を実現することができ、材料の輸送コストや、建築物の施工コストを低減させることが可能となる。
【００１８】
第１発明〜第５発明によれば、上下方向及び外周方向に細分化された複数の分割板が用いられるため、発泡樹脂素材を成形するときに生じる特有の大きさの不均一性を極力小さなものとすることができ、複数の分割板の製作精度を一定に維持することができる。これにより、第１発明〜第５発明によれば、複数の分割板の大きさを均一にして、隣り合う複数の分割板の間に隙間を生じさせないものとすることができ、居住空間に雨漏り等が生じることを防止することが可能となる。
【００１９】
特に、第２発明、第３発明によれば、複数の分割板の第１切欠部及び第２切欠部で、第１先端面、第１基端面、第２先端面及び第２基端面が、分割板の表面側よりも裏面側の方の上下方向の位置を高くして傾斜される。これにより、第２発明、第３発明によれば、雨水等が第１切欠部及び第２切欠部に浸入した場合であっても、第１基端面及び第２先端面が下方に向けて傾斜されていることによって、雨水等を流下させることができ、居住空間に雨漏り等が生じることを防止することが可能となる。
【００２０】
特に、第４発明、第５発明によれば、壁体設置工程及び屋根設置工程において、発泡樹脂素材に特有の変形容易性を利用しながら、発泡樹脂建築物の上下方向で複数の分割板を容易かつ確実に接合することができるため、隣り合う複数の分割板の間に隙間を生じさせることなく、容易、迅速に壁体及び屋根を設けることが可能となる。
【図面の簡単な説明】
【００２１】
【図１】本発明を適用した発泡樹脂建築物を示す斜視図である。
【図２】本発明を適用した発泡樹脂建築物を示す正面図である。
【図３】本発明を適用した発泡樹脂建築物を示す平面図である。
【図４】（ａ）は、本発明を適用した発泡樹脂建築物に用いられる分割板を示す正面図であり、（ｂ）は、その平面図であり、（ｃ）は、その左側面図である。
【図５】本発明を適用した発泡樹脂建築物に用いられる分割板において、第１切欠部及び第２切欠部の第１実施例を示す拡大側面図である。
【図６】本発明を適用した発泡樹脂建築物に用いられる分割板において、第１切欠部及び第２切欠部の第２実施例を示す拡大側面図である。
【図７】本発明を適用した発泡樹脂建築物に用いられる分割板において、第１切欠部及び第２切欠部の第３実施例を示す拡大側面図である。
【図８】本発明を適用した発泡樹脂建築物に用いられる分割板において、第３切欠部を示す拡大底面図である。
【図９】本発明を適用した発泡樹脂建築物の構築方法を示す斜視図である。
【図１０】本発明を適用した発泡樹脂建築物の構築方法の壁体設置工程において、第１実施例の第１切欠部と第２切欠部とが接合される態様を示す拡大側面図である。
【図１１】本発明を適用した発泡樹脂建築物の構築方法の壁体設置工程において、第２実施例の第１切欠部と第２切欠部とが接合される態様を示す拡大側面図である。
【図１２】本発明を適用した発泡樹脂建築物の構築方法の壁体設置工程において、第３実施例の第１切欠部と第２切欠部とが接合される態様を示す拡大側面図である。
【図１３】本発明を適用した発泡樹脂建築物の構築方法の壁体設置工程において、第３切欠部が接合される態様を示す拡大底面図である。
【図１４】本発明を適用した発泡樹脂建築物の構築方法の屋根設置工程において、発泡樹脂建築物の上部に屋根が設けられる態様を示す側面図である。
【図１５】本発明を適用した発泡樹脂建築物の壁体に横方向から風圧が作用する態様を示す側面図である。
【図１６】本発明を適用した発泡樹脂建築物に骨組材を備えるものとした態様を示す斜視図である。
【図１７】本発明を適用した発泡樹脂建築物に骨組材を備えるものとして引付金具を取り付けた態様を示す斜視図である。
【図１８】本発明を適用した発泡樹脂建築物に骨組材を備えるものとして押付金具を取り付けた態様を示す正面図である。
【発明を実施するための形態】
【００２２】
以下、本発明を適用した発泡樹脂建築物１を実施するための形態について、図面を参照しながら詳細に説明する。
【００２３】
本発明を適用した発泡樹脂建築物１は、図１に示すように、発泡樹脂素材を主材として建築されるものであり、この発泡樹脂素材としては、例えば、発泡ポリスチレン、発泡ポリエチレン又は発泡ポリプロピレン等が用いられる。
【００２４】
本発明を適用した発泡樹脂建築物１は、発泡樹脂建築物１の周縁部に設けられる壁体２と、発泡樹脂建築物１の上部に設けられる屋根３とを備えるものであり、略直線状に傾斜する屋根３や、略直線状に水平となる屋根３、又は湾曲させて形成された屋根３等が用いられる。
【００２５】
壁体２は、図２に示すように、発泡樹脂建築物１の外周方向Ｘに延びて設けられるとともに、発泡樹脂建築物１の上下方向Ｙに延びて設けられ、略鉛直に形成される。壁体２は、複数に分割された分割板４が用いられ、発泡樹脂建築物１の外周方向Ｘ及び上下方向Ｙで、この複数の分割板４を接合させることによって構築される。
【００２６】
屋根３は、図３に示すように、発泡樹脂建築物１の外周方向Ｘに延びて設けられるとともに、発泡樹脂建築物１の上下方向Ｙ及び奥行方向Ｚに延びて設けられ、傾斜させて形成される。屋根３は、複数に分割された分割板４が用いられ、発泡樹脂建築物１の外周方向Ｘ、上下方向Ｙ及び奥行方向Ｚで、この複数の分割板４を接合させることによって構築される。
【００２７】
分割板４は、図４に示すように、発泡樹脂素材が主材として用いられるものであり、略矩形状の平板状に成形されて、上端部４１、下端部４２、左端部４３及び右端部４４で所定の形状の切欠部が形成されるものとなる。
【００２８】
分割板４は、上端部４１において、第１切欠部５が形成され、下端部４２において、第２切欠部６が形成される。分割板４は、これに限らず、上端部４１において、第１切欠部５が形成され、下端部４２において、第２切欠部６が形成されてもよい。分割板４は、左端部４３及び右端部４４において、第３切欠部７が形成される。
【００２９】
このとき、分割板４は、上端部４１及び下端部４２において、上下方向Ｙに延びるとともに奥行方向Ｚに傾斜する第１切欠部５及び第２切欠部６が形成されるものとなる。第１切欠部５及び第２切欠部６は、例えば、図５に示すように、第１実施例として示される態様の切欠部や、図６に示すように、第２実施例として示される態様の切欠部、図７に示すように、第３実施例として示される態様等の切欠部が形成されるものとなる。
【００３０】
第１切欠部５は、第１実施例において、図５に示すように、分割板４の表面側Ａが切り欠かれて形成される。第１切欠部５は、上方向に突出して略水平に形成される第１先端面５１と、第１先端面５１から連続して分割板４の平板面と略平行に延びる第１当接面５６と、第１当接面５６の基端から奥行方向Ｚに傾斜させて形成される第１基端面５２とを有する。このとき、第１基端面５２は、分割板４の表面側Ａより裏面側Ｂの方が、上下方向Ｙの位置を高くして傾斜される。
【００３１】
第２切欠部６は、第１実施例において、分割板４の裏面側Ｂが切り欠かれて形成される。第２切欠部６は、下方向に突出して奥行方向Ｚに傾斜させて形成される第２先端面６１と、第２先端面６１から連続して分割板４の平板面と略平行に延びる第２当接面６６と、第２当接面６６の基端から略水平に形成される第２基端面６２とを有する。このとき、第２先端面６１は、分割板４の表面側Ａより裏面側Ｂの方が、上下方向Ｙの位置を高くして傾斜される。
【００３２】
第１切欠部５は、第２実施例において、図６に示すように、分割板４の表面側Ａが切り欠かれて形成される。第１切欠部５は、奥行方向Ｚに傾斜させて上方向に突出して形成される第１先端面５１と、第１先端面５１から連続して分割板４の平板面と略平行に延びる第１当接面５６と、第１当接面５６の基端部から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。
【００３３】
第２切欠部６は、第２実施例において、分割板４の裏面側Ｂが切り欠かれて形成される。第２切欠部６は、奥行方向Ｚに傾斜させて下方向に突出して形成される第２先端面６１と、第２先端面６１から連続して分割板４の平板面と略平行に延びる第２当接面６６と、第２当接面６６の基端部から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。
【００３４】
第１切欠部５は、第３実施例において、図７に示すように、分割板４の表面側Ａが切り欠かれて形成され、奥行方向Ｚに傾斜させて上方向に突出して形成される第１先端面５１と、第１先端面５１から連続して延びる第１褶動面５７と、第１褶動面５７の基端部から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。また、第１褶動面５７は、第１先端面５１と第１基端面５２との間で、上下方向Ｙに延びて形成され、第１先端面５１側が表面側Ａに突出するように奥行方向Ｚに傾斜して形成される。
【００３５】
第２切欠部６は、第３実施例において、分割板４の裏面側Ｂが切り欠かれて形成され、奥行方向Ｚに傾斜させて下方向に突出して形成される第２先端面６１と、第２先端面６１から連続して延びる第２褶動面６７と、第２褶動面６７の基端部から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。また、第２褶動面６７は、第２先端面６１と第２基端面６２との間で、上下方向Ｙに延びて形成され、第２先端面６１側が裏面側Ｂに突出するように奥行方向Ｚに傾斜して形成される。
【００３６】
第３切欠部７は、図８に示すように、分割板４の表面側Ａが切り欠かれて形成され、外周方向Ｘに傾斜させて形成される側面７１と、分割板４の平板面と略平行に形成される底面７２と、側面７１と底面７２との間に形成される溝部７３とを有する。第３切欠部７は、隣り合う複数の分割板４の左端部４３及び右端部４４に形成されて、隣り合う複数の分割板４の左端部４３及び右端部４４を当接させた状態で、外周方向Ｘの両端部に一対の突出部７５が設けられた接合部材７４が嵌め込まれる。
【００３７】
本発明を適用した発泡樹脂建築物１の構築方法は、図９に示すように、発泡樹脂建築物１の周縁部で略鉛直に壁体２を設ける壁体設置工程と、発泡樹脂建築物１の上部に屋根３を設ける屋根設置工程とを備えるものである。
【００３８】
壁体設置工程では、発泡樹脂建築物１の外周方向Ｘ及び上下方向Ｙで、複数の分割板４を接合させることによって、壁体２が構築される。壁体設置工程では、図１０、図１１、図１２に示すように、上下方向Ｙに隣り合う複数の分割板４において、一方の分割板４の第１切欠部５と、他方の分割板４の第２切欠部６とが、貫通ボルト４５で連結されるものである。壁部設置工程では、これに限らず、一方の分割板４の第１切欠部５と、他方の分割板４の第２切欠部６とが、接着剤等によって接着されて接合されてもよい。
【００３９】
第１切欠部５及び第２切欠部６は、第１実施例において、最初に、図１０（ａ）に示すように、壁部設置工程において、発泡樹脂素材の分割板４を変形させながら、第１当接面５６と第２当接面６６とを当接させて、第１当接面５６と第２当接面６６とを褶動させるものとなる。
【００４０】
第１切欠部５及び第２切欠部６は、第１実施例において、次に、図１０（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００４１】
第１切欠部５及び第２切欠部６は、第１実施例において、最後に、図１０（ｃ）に示すように、壁部設置工程において、貫通ボルト４５に取付ナット４６が締め込まれることで、第１当接面５６と第２当接面６６とがさらに褶動するものとなり、貫通ボルト４５に取付ナット４６が締結されることで、略水平の第１先端面５１と第２基端面６２とを当接させるとともに、傾斜した第１基端面５２と第２先端面６１とを当接させるものとなる。
【００４２】
第１切欠部５及び第２切欠部６は、第２実施例において、最初に、図１１（ａ）に示すように、壁体設置工程において、略矩形状の平板状に成形された発泡樹脂素材の分割板４を変形させながら、第１当接面５６と第２当接面６６とを当接させて、第１当接面５６と第２当接面６６とを褶動させるものとなる。
【００４３】
第１切欠部５及び第２切欠部６は、第２実施例において、次に、図１１（ｂ）に示すように、壁体設置工程において、分割板４の表面側Ａから裏面側Ｂにかけて貫通ボルト４５が貫通されて、貫通ボルト４５に取付ナット４６が締め込まれるものとなる。
【００４４】
第１切欠部５及び第２切欠部６は、第２実施例において、最後に、図１１（ｃ）に示すように、壁体設置工程において、貫通ボルト４５に取付ナット４６が締め込まれることで、第１当接面５６と第２当接面６６とがさらに褶動するものとなり、貫通ボルト４５に取付ナット４６が締結されることで、第１先端面５１と第２基端面６２とを当接させるとともに、第１基端面５２と第２先端面６１とを当接させるものとなる。
【００４５】
第１切欠部５及び第２切欠部６は、第３実施例においても、最初に、図１２（ａ）に示すように、壁体設置工程において、略矩形状の平板状に成形された発泡樹脂素材の分割板４を変形させながら、第１褶動面５７と第２褶動面６７とを当接させて、第１褶動面５７と第２褶動面６７とを褶動させるものとなる。
【００４６】
第１切欠部５及び第２切欠部６は、第３実施例においても、次に、図１２（ｂ）に示すように、壁体設置工程において、分割板４の表面側Ａから裏面側Ｂにかけて貫通ボルト４５が貫通されて、貫通ボルト４５に取付ナット４６が締め込まれるものとなる。
【００４７】
第１切欠部５及び第２切欠部６は、第３実施例においても、最後に、図１２（ｃ）に示すように、壁体設置工程において、貫通ボルト４５に取付ナット４６が締め込まれることで、第１褶動面５７と第２褶動面６７とがさらに褶動するものとなり、貫通ボルト４５に取付ナット４６が締結されることで、第１先端面５１と第２基端面６２とを当接させるとともに、第１基端面５２と第２先端面６１とを当接させるものとなる。
【００４８】
第１切欠部５及び第２切欠部６は、第１実施例〜第３実施例の何れにおいても、分割板４の平板面に対して傾斜させて貫通ボルト４５が貫通されるため、貫通ボルト４５に取付ナット４６が締め込まれることで、発泡樹脂素材の分割板４の変形によって、第１切欠部５と第２切欠部６とが互いに引き寄せあうように変形するものとなる。
【００４９】
これにより、本発明を適用した発泡樹脂建築物１の構築方法は、壁体設置工程において、発泡樹脂素材に特有の変形容易性を利用しながら、発泡樹脂建築物１の上下方向Ｙで複数の分割板４を容易かつ確実に接合することができるため、隣り合う複数の分割板４の間に隙間を生じさせることなく、容易、迅速に壁体２を設けることが可能となる。
【００５０】
また、本発明を適用した発泡樹脂建築物１の構築方法は、壁体設置工程において、図１３に示すように、外周方向Ｘで隣り合う複数の分割板４の左端部４３及び右端部４４を当接させた状態で、第３切欠部７に形成された溝部７３に、接合部材７４に形成された一対の突出部７５が嵌合されて、隣り合う複数の分割板４の左端部４３及び右端部４４が接合される。
【００５１】
接合部材７４は、第３切欠部７の溝部７３に接合部材７４の突出部７５が嵌合された状態で、分割板４の表面側Ａから裏面側Ｂにかけて長ネジ又は両ボルト７７を貫通させて、分割板４の表面側Ａと裏面側Ｂとに一対の取付板７８を備えたジョイント金具７６が取り付けられる。
【００５２】
ジョイント金具７６は、長ネジ又は両ボルト７７にナットを締結することによって、分割板４の表面側Ａと裏面側Ｂとを一対の取付板７８で平面状に押圧するものとなる。このとき、本発明を適用した発泡樹脂建築物１は、外周方向Ｘで隣り合う複数の分割板４の左端部４３及び右端部４４を、ジョイント金具７６を用いて強固に接合させることが可能となる。
【００５３】
これにより、本発明を適用した発泡樹脂建築物１の構築方法は、壁体設置工程において、発泡樹脂建築物１の外周方向Ｘで複数の分割板４を容易かつ確実に接合することができ、隣り合う複数の分割板４の間に隙間を生じさせることなく、容易、迅速に壁体２を設けることが可能となる。また、本発明を適用した発泡樹脂建築物１は、分割板４の左端部４３及び右端部４４において、第３切欠部７に溝部７３が形成されるため、雨水等が第３切欠部７に浸入した場合であっても、溝部７３を通じて雨水等を流下させることができ、居住空間に雨漏り等が生じることを防止することが可能となる。
【００５４】
本発明を適用した発泡樹脂建築物１の構築方法は、屋根設置工程において、図１４（ａ）に示すように、壁体設置工程で設けられた壁体２の上端部２ａに、発泡樹脂建築物１の上下方向Ｙの上方から屋根３を載せ置いて、図１４（ｂ）に示すように、屋根３の下面３ａを壁体２の上端部２ａに当接させるものである。
【００５５】
このとき、屋根３は、壁体２と同様に、第１切欠部５及び第２切欠部６が形成された複数の分割板４の上端部４１及び下端部４２を上下方向Ｙで接合させるとともに、第３切欠部７が形成された複数の分割板４の左端部４３及び右端部４４を外周方向Ｘで接合させることができるものとなる。これにより、本発明を適用した発泡樹脂建築物１の構築方法は、発泡樹脂建築物１の上下方向Ｙ及び外周方向Ｘにおいて、複数の分割板４を容易かつ確実に接合することができるため、隣り合う複数の分割板４の間に隙間を生じさせることなく、容易、迅速に屋根３を設けることが可能となる。
【００５６】
なお、本発明を適用した発泡樹脂建築物１の構築方法は、分割板４の左端部４３及び右端部４４の何れか一方において、第１切欠部５及び第２切欠部６の何れか一方が形成されるとともに、分割板４の左端部４３及び右端部４４の何れか他方において、第１切欠部５及び第２切欠部６の何れか他方が形成されてもよい。このとき、本発明を適用した発泡樹脂建築物１の構築方法は、発泡樹脂建築物１の外周方向Ｘにおいても、図１０、図１１、図１２に示すように、複数の分割板４を容易かつ確実に接合することができるため、隣り合う複数の分割板４の間に隙間を生じさせることなく、容易、迅速に壁体２及び屋根３を設けることが可能となる。
【００５７】
本発明を適用した発泡樹脂建築物１は、断熱性能の高い発泡樹脂素材を主材とするものであるため、発泡樹脂建築物１の居住空間における保温性を向上させることが可能となる。また、本発明を適用した発泡樹脂建築物１は、軽量な発泡樹脂素材を主材とするものであるため、壁体２及び屋根３を構成する複数の分割板４の容易な運搬、施工を実現することができ、材料の輸送コストや、建築物の施工コストを低減させることが可能となる。
【００５８】
本発明を適用した発泡樹脂建築物１は、上下方向Ｙ及び外周方向Ｘに細分化された複数の分割板４が用いられるため、発泡樹脂素材を成形するときに生じる特有の大きさの不均一性を極力小さなものとすることができ、複数の分割板４の製作精度を一定に維持することができる。これにより、本発明を適用した発泡樹脂建築物１は、複数の分割板４の大きさを均一にして、隣り合う複数の分割板４の間に隙間を生じさせないものとすることができ、居住空間に雨漏り等が生じることを防止することが可能となる。
【００５９】
本発明を適用した発泡樹脂建築物１は、複数の分割板４の第１切欠部５及び第２切欠部６で、第１先端面５１、第１基端面５２、第２先端面６１及び第２基端面６２が、分割板４の表面側Ａよりも裏面側Ｂの方の上下方向Ｙの位置を高くして傾斜される。これにより、本発明を適用した発泡樹脂建築物１は、雨水等が第１切欠部５及び第２切欠部６に浸入した場合であっても、第１基端面５２及び第２先端面６１が下方に向けて傾斜されていることによって、雨水等を流下させることができ、居住空間に雨漏り等が生じることを防止することが可能となる。
【００６０】
本発明を適用した発泡樹脂建築物１は、軽量な発泡樹脂素材を主材とするものであり、また、第１先端面５１、第１基端面５２、第２先端面６１及び第２基端面６２が下方に向けて傾斜されていることによって、図１５に示すように、発泡樹脂建築物１の横方向から風圧が作用することで、壁体２が浮き上がるように移動しようとするものとなる。このとき、本発明を適用した発泡樹脂建築物１は、発泡樹脂建築物１の上下方向Ｙにおいて、壁体２の上端部２ａを屋根３の下面３ａで抑え付けることができるものとなり、壁体２の浮き上がりを防止することが可能となる。
【００６１】
また、本発明を適用した発泡樹脂建築物１は、上下方向Ｙに細分化された複数の分割板４が用いられるため、発泡樹脂建築物１の横方向から風圧が作用して、壁体２が浮き上がるように移動しようとした場合に、第１切欠部５及び第２切欠部６において、発泡樹脂素材が変形するものとなる。このとき、本発明を適用した発泡樹脂建築物１は、第１切欠部５及び第２切欠部６が変形することによって、壁体２の浮き上がるような移動を吸収できるものとなり、壁体２の浮き上がりを防止することが可能となる。
【００６２】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００６３】
例えば、本発明を適用した発泡樹脂建築物１は、図１６に示すように、発泡樹脂建築物１の周縁部に設けられる壁体２と、発泡樹脂建築物１の上部に設けられる屋根３と、発泡樹脂建築物１の内部に設けられる骨組材９とを備えるものとすることができる。
【００６４】
このとき、本発明を適用した発泡樹脂建築物１は、図１７に示すように、骨組材９の母屋や梁材に引付金具９１を取り付けて、複数の分割板４を骨組材９の母屋や梁材に引き付けて固定することができる。また、本発明を適用した発泡樹脂建築物１は、図１８に示すように、骨組材９の天井材に押付金具９２を取り付けて、複数の分割板４を骨組材９の天井材に押さえつけるように固定することができる。このとき、本発明を適用した発泡樹脂建築物１は、屋根３を構成する複数の分割板４が風等によって飛ばされないように、複数の分割板４を押付金具９２で骨組材９に強固に連結することが可能となる。
【符号の説明】
【００６５】
１        ：発泡樹脂建築物
２        ：壁体
２ａ      ：上端部
３        ：屋根
３ａ      ：下面
４        ：分割板
４１      ：上端部
４２      ：下端部
４３      ：左端部
４４      ：右端部
４５      ：貫通ボルト
４６      ：取付ナット
５        ：第１切欠部
５１      ：第１先端面
５２      ：第１基端面
５６      ：第１当接面
５７      ：第１褶動面
６        ：第２切欠部
６１      ：第２先端面
６２      ：第２基端面
６６      ：第２当接面
６７      ：第２褶動面
７        ：第３切欠部
７１      ：側面
７２      ：底面
７３      ：溝部
７４      ：接合部材
７５      ：突出部
７６      ：ジョイント金具
７７      ：両ボルト
７８      ：取付板
９        ：骨組材
９１      ：引付金具
９２      ：押付金具
Ａ        ：表面側
Ｂ        ：裏面側
Ｘ        ：外周方向
Ｙ        ：上下方向
Ｚ        ：奥行方向
【図１】
2014224394.tif 000003
【図２】
2014224394.tif 000004
【図３】
2014224394.tif 000005
【図４】
2014224394.tif 000006
【図５】
2014224394.tif 000007
【図６】
2014224394.tif 000008
【図７】
2014224394.tif 000009
【図８】
2014224394.tif 000010
【図９】
2014224394.tif 000011
【図１０】
2014224394.tif 000012
【図１１】
2014224394.tif 000013
【図１２】
2014224394.tif 000014
【図１３】
2014224394.tif 000015
【図１４】
2014224394.tif 000016
【図１５】
2014224394.tif 000017
【図１６】
2014224394.tif 000018
【図１７】
2014224394.tif 000019
【図１８】
2014224394.tif 000020